【手続補正書】
【提出日】平成20年10月22日(2008.10.22)
【手続補正１】
【補正対象書類名】明細書
【補正対象項目名】発明の名称
【補正方法】変更
【補正の内容】
【発明の名称】画像読取装置及び画像形成装置
【手続補正２】
【補正対象書類名】明細書
【補正対象項目名】特許請求の範囲
【補正方法】変更
【補正の内容】
【特許請求の範囲】
【請求項１】
原稿が載置された原稿台に対し、光学部品を有する露光光学系を走査させて原稿画像を読取部で読み取る画像読取装置において、
前記光学部品に設けられた圧電素子と、
前記圧電素子を駆動することで前記光学部品の振動を制御する振動制御手段と、
前記光学部品の振動を検出する振動状態検出手段と、を有し、
前記振動制御手段は、前記光学部品の振動を抑制するために前記振動状態検出手段の検出結果に基づいて前記圧電素子を駆動することを特徴とする画像読取装置。
【請求項２】
前記振動制御手段は、前記振動状態検出手段が検出した振動の位相と逆位相の振動が前記光学部品に加わるように、前記圧電素子を駆動することを特徴とする請求項１に記載の画像読取装置。
【請求項３】
前記振動状態検出手段は、前記光学部品の振動数を検出することを特徴とする請求項１又は請求項２に記載の画像読取装置。
【請求項４】
前記振動状態検知手段は、前記光学部品の振幅量を検出することを特徴とする請求項１乃至請求項３のいずれか１項に記載の画像読取装置。
【請求項５】
前記光学部品は、前記露光光学系から前記原稿台に載置された原稿に照射され前記原稿で反射された光を前記読取部に導く折り返しミラーであることを特徴とする請求項１乃至請求項４のいずれか１項に記載の画像読取装置。
【請求項６】
感光体と、
前記感光体に静電潜像を形成するために照射されたレーザ光を偏向走査する回転多面鏡と、
前記回転多面鏡によって偏向走査されたレーザ光を前記感光体に導く光学部品と、
を有する画像形成装置において、
前記光学部品に設けられた圧電素子と、
前記光学部品の振動を抑制するために前記圧電素子を駆動する振動制御手段と、
前記光学部品の振動を検出する振動状態検出手段と、を有し、
前記振動制御手段は、前記振動状態検出手段の検出結果に基づいて前記圧電素子を駆動することを特徴とする画像形成装置。
【請求項７】
前記振動制御手段は、前記振動状態検出手段が検出した振動の位相と逆位相の振動が前記光学部品に加わるように、前記圧電素子を駆動することを特徴とする請求項６に記載の画像形成装置。
【請求項８】
前記振動状態検出手段は、前記光学部品の振動数を検出することを特徴とする請求項６又は請求項７に記載の画像形成装置。
【請求項９】
前記振動状態検知手段は、前記光学部品の振幅量を検出することを特徴とする請求項６乃至請求項８のいずれか１項に記載の画像形成装置。
【請求項１０】
前記光学部品は、前記回転多面鏡によって偏向走査されたレーザ光を前記感光体に導く折り返しミラーであることを特徴とする請求項６乃至請求項９のいずれか１項に記載の画像形成装置。
【手続補正３】
【補正対象書類名】明細書
【補正対象項目名】０００１
【補正方法】変更
【補正の内容】
【０００１】
【発明の属する技術分野】
本発明は、光学系の振動抑制制御を行う画像読取装置及び画像形成装置に関するものである。
【手続補正４】
【補正対象書類名】明細書
【補正対象項目名】００１７
【補正方法】変更
【補正の内容】
【００１７】
そこで本発明では、光学系の振動部位の振動を直接的に抑制する制御を可能とする画像読取装置及び画像形成装置を提供することにある。
【手続補正５】
【補正対象書類名】明細書
【補正対象項目名】００１９
【補正方法】変更
【補正の内容】
【００１９】
【課題を解決するための手段】
上記目的を達成するために、本発明にあっては、
原稿が載置された原稿台に対し、光学部品を有する露光光学系を走査させて原稿画像を読取部で読み取る画像読取装置において、
前記光学部品に設けられた圧電素子と、
前記圧電素子を駆動することで前記光学部品の振動を制御する振動制御手段と、
前記光学部品の振動を検出する振動状態検出手段と、を有し、
前記振動制御手段は、前記光学部品の振動を抑制するために前記振動状態検出手段の検出結果に基づいて前記圧電素子を駆動することを特徴とする。
また、感光体と、
前記感光体に静電潜像を形成するために照射されたレーザ光を偏向走査する回転多面鏡と、
前記回転多面鏡によって偏向走査されたレーザ光を前記感光体に導く光学部品と、
を有する画像形成装置において、
前記光学部品に設けられた圧電素子と、
前記光学部品の振動を抑制するために前記圧電素子を駆動する振動制御手段と、
前記光学部品の振動を検出する振動状態検出手段と、を有し、
前記振動制御手段は、前記振動状態検出手段の検出結果に基づいて前記圧電素子を駆動することを特徴とする画像形成装置。
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００８１
【補正方法】変更
【補正の内容】
【００８１】
【発明の効果】
以上説明したように、本発明によれば、画像読取装置や画像形成装置等の光学系で多発する光学系の振動による画像不良に対して、光学系の振動部分に圧電素子を密着固定させ、圧電素子の振動によって光学系の振動を抑制する構成としたので、複雑な機構部分無しに且つミラー面精度を損なうこと無く抑制効果を得ることができる。
【手続補正１８】
【補正対象書類名】明細書
【補正対象項目名】００８２
【補正方法】変更
【補正の内容】
【００８２】
また、光学系の振動状態をアナログ信号として検出する振動状態検出手段と、振動状態に基づいて前記圧電素子の振動を制御するフィードバック制御系と、を設けたので、振動量を所定の振幅値まで低減させることができる。
【手続補正１９】
【補正対象書類名】明細書
【補正対象項目名】００８３
【補正方法】変更
【補正の内容】
【００８３】
また、フィードバック制御系を、振動状態検出手段からの検出情報に基づいて光学系の振動数および振幅量を演算する演算部と、該演算部によって得られたデータから所定の振幅値となるようにフィードバックゲインを前記圧電素子を駆動する圧電素子駆動部に対して与える制御部と、を備えた構成としたので、光学系の振動を逆位相の圧電素子の振動によって相殺することができる。
【手続補正２０】
【補正対象書類名】明細書
【補正対象項目名】００８４
【補正方法】変更
【補正の内容】
【００８４】
また、振動状態検出手段として圧電素子を利用したので、振動状態を圧電素子の正圧電効果により電圧として取り出すことができる。
【手続補正２１】
【補正対象書類名】明細書
【補正対象項目名】００８５
【補正方法】変更
【補正の内容】
【００８５】
また、圧電素子は、光学部品及び光学部品を保持する筐体の少なくともいずれか一方に密着固定したので、より振動減衰効果を高めることができる。
【手続補正２２】
【補正対象書類名】明細書
【補正対象項目名】００８６
【補正方法】変更
【補正の内容】
【００８６】
また、光学部品及び光学部品を保持する筐体の少なくともいずれか一方と圧電素子の密着固定を、接着材あるいは両面テープに固定するようにしたので、構成を単純化することができる。
【手続補正２３】
【補正対象書類名】明細書
【補正対象項目名】００８７
【補正方法】変更
【補正の内容】
【００８７】
また、画像読取装置の光学系に適用したので、画像の読取精度を高めることができる。
【手続補正２４】
【補正対象書類名】明細書
【補正対象項目名】００８８
【補正方法】変更
【補正の内容】
【００８８】
また、画像形成装置の光学系に適用したので、高精細な画像を実現できる。
【手続補正２５】
【補正対象書類名】明細書
【補正対象項目名】００８９
【補正方法】変更
【補正の内容】
【００８９】
また、制御部は、ある程度の外乱及び仕様の異なる装置においても所定の目標値へ追従させることができるロバスト性を考慮した制御を行うようにしたので、外乱振動並びに多機種にわたる汎用性を実現することができる。
【手続補正２６】
【補正対象書類名】明細書
【補正対象項目名】００９０
【補正方法】変更
【補正の内容】
【００９０】
また、光学系の振動部位を光学ミラーとしたので、ミラーの曲げ振動に対して複雑な機構部分無しに且つミラー面精度を損なうこと無く振動制御効果を得ることが出来る。